【手続補正書】
【提出日】平成18年6月15日(2006.6.15)
【手続補正１】
【補正対象書類名】明細書
【補正対象項目名】発明の名称
【補正方法】変更
【補正の内容】
【発明の名称】射出成形装置および射出成形方法
【手続補正２】
【補正対象書類名】明細書
【補正対象項目名】特許請求の範囲
【補正方法】変更
【補正の内容】
【特許請求の範囲】
【請求項１】  射出成形機の固定側プラテンおよび可動側プラテンと、
これら固定側プラテンおよび可動側プラテンの下部に設置された固定側位置決めブロック部材および可動側位置決めブロック部材と、
前記固定側プラテンと可動側プラテンとの間に挿入され、前記固定側位置決めブロック部材および可動側位置決めブロック部材により位置決めされる金型と
を有する射出成形装置において、
前記固定側位置決めブロック部材および可動側位置決めブロック部材にエネルギー吸収部材を設け、前記可動側位置決めブロック部材に設けられたエネルギー吸収部材は、前記固定側位置決めブロック部材に設けられたエネルギー吸収部材よりも反発力が強いことを特徴とする射出成形装置。
【請求項２】  前記固定側位置決めブロックおよび可動側位置決めブロックは金型が接触する金型接地面を有し、前記可動側位置決めブロック部材の金型接地面は、前記固定側位置決めブロック部材の金型接地面よりも低い位置に設定されていることを特徴とする請求項１に記載の射出成形装置。
【請求項３】  射出成形機の固定側プラテンおよび可動側プラテンと、これら固定側プラテンおよび可動側プラテンの下部に設置された固定側位置決めブロック部材および可動側位置決めブロック部材とを有し、前記固定側プラテンと可動側プラテンとの間に金型を挿入して射出成形を行う射出成形方法において、
前記固定側位置決めブロックおよび可動側位置決めブロックは金型が接触する金型接地面を有し、前記金型を前記固定側位置決めブロックの金型接地面に接触させた後、前記金型を前記可動側位置決めブロックの金型接地面に接触させて位置決めし、射出成形を行うことを特徴とする射出成形方法。
【手続補正３】
【補正対象書類名】明細書
【補正対象項目名】０００１
【補正方法】変更
【補正の内容】
【０００１】
【発明の属する技術分野】
本発明は、金型を固定側プラテンと可動側プラテンとの間に位置決めして射出成形を行う射出成形装置および射出成形方法に関するものである。
【手続補正４】
【補正対象書類名】明細書
【補正対象項目名】００２１
【補正方法】変更
【補正の内容】
【００２１】
このような課題を解決するために、本発明の目的は、射出成形機の固定側プラテンおよび可動側プラテンの下部に設置された位置決めブロック部材の金型設置面に、ショックアブソーバー等のエネルギー吸収部材を設けて、射出成形機の固定側プラテンと可動側プラテンとの間に金型を挿入する際に、クレーン降下速度を調整することなく、安定して金型の位置決めを行うことができる射出成形装置および射出成形方法を提供することにある。
【手続補正５】
【補正対象書類名】明細書
【補正対象項目名】００２２
【補正方法】変更
【補正の内容】
【００２２】
【課題を解決するための手段】
上述の目的を達成するために、本発明の射出成形装置は、射出成形機の固定側プラテンおよび可動側プラテンと、これら固定側プラテンおよび可動側プラテンの下部に設置された固定側位置決めブロック部材および可動側位置決めブロック部材と、前記固定側プラテンと可動側プラテンとの間に挿入され、前記固定側位置決めブロック部材および可動側位置決めブロック部材により位置決めされる金型とを有する射出成形装置において、前記固定側位置決めブロック部材および可動側位置決めブロック部材にエネルギー吸収部材を設け、前記可動側位置決めブロック部材に設けられたエネルギー吸収部材は、前記固定側位置決めブロック部材に設けられたエネルギー吸収部材よりも反発力が強いことを特徴とする。
また、本発明による射出成形方法は、射出成形機の固定側プラテンおよび可動側プラテンと、これら固定側プラテンおよび可動側プラテンの下部に設置された固定側位置決めブロック部材および可動側位置決めブロック部材とを有し、前記固定側プラテンと可動側プラテンとの間に金型を挿入して射出成形を行う射出成形方法において、前記固定側位置決めブロックおよび可動側位置決めブロックは金型が接触する金型接地面を有し、前記金型を前記固定側位置決めブロックの金型接地面に接触させた後、前記金型を前記可動側位置決めブロックの金型接地面に接触させて位置決めし、射出成形を行うことを特徴とする。
【手続補正６】
【補正対象書類名】明細書
【補正対象項目名】００２３
【補正方法】変更
【補正の内容】
【００２３】
このように構成された本発明においては、固定側位置決めブロックの金型設置面と、可動側位置決めブロックの金型設置面に、ショックアブソーバー等のようなエネルギー吸収部材を設けている。また、本発明は、金型の吊り状態によっては、金型が斜めに挿入される場合もあり得る。このような場合に、エネルギー吸収部材に高さ方向以外の力がかかってしまって、エネルギー吸収部材の破損が起きてしまうので、金型下部とエネルギー吸収部材との間に、金型挿入方向に自由に移動可能なガイドを設置して、エネルギー吸収部材の損傷を防止するようにしている。
【手続補正７】
【補正対象書類名】明細書
【補正対象項目名】００２４
【補正方法】変更
【補正の内容】
【００２４】
また、本発明においては、金型の組立誤差によって固定側取付け板の金型接地面と可動側取付け板の金型接地面との高さが違っても、射出ノズルと金型側の樹脂注入口の高さ方向の位置とがずれないようにしなくてはならないので、そこで、射出ノズルから前記位置決めブロック部材の金型設置面までの距離について、固定側は、金型下部から金型の樹脂注入口までの距離とし、可動側は、固定側より長くしている。
【手続補正８】
【補正対象書類名】明細書
【補正対象項目名】００２５
【補正方法】変更
【補正の内容】
【００２５】
さらに、本発明においては、金型の吊り状態によって金型が斜めに挿入された場合でも、金型の位置決めが適切に行われるように、位置決めブロック部材に設置されているエネルギー吸収部材の強さを、固定側よりも可動側を強くしている。これによって、金型の位置決めを一層好適に行うことができる。
【手続補正９】
【補正対象書類名】明細書
【補正対象項目名】００３１
【補正方法】変更
【補正の内容】
【００３１】
このような本発明の射出成形機１において、固定側プラテン３と可動側プラテン４の間に挿入されて装着される金型３０は、固定側取付け板３３と、ランナーストリッパー板３８と、キャビ板３９と、コア板４０と、スペーサーブロック４１と、可動側取付け板３５と、エジェクタプレート４２とによって概略構成されている。また、固定側取付け板３３とランナーストリッパー板３８とキャビ板３９は、サポートピン４３とガイドブッシュ４４、４５とによって、高さ方向と横方向の位置が規制されており、さらに、キャビ板３９とコア板４０は、ガイドピン４６とガイドブッシュ４７とによって、同様に、高さ方向および横方向の位置が規制されている。なお、コア板４０とスペーサーブロック４１と可動側取付け板３５は、図示していないボルト等によって固定されている。さらにまた、エジェクタプレート４２は、図示していないエジェクタガイドおよびエジェクタガイドブッシュ等によって、コア板４０と高さ方向と横方向とが規制されている。
【手続補正１０】
【補正対象書類名】明細書
【補正対象項目名】００３９
【補正方法】変更
【補正の内容】
【００３９】
次に、本発明における射出成形装置の動作に就いて説明する。
【手続補正１１】
【補正対象書類名】明細書
【補正対象項目名】００４６
【補正方法】変更
【補正の内容】
【００４６】
この後、金型クランプ、天井走行クレーンフックの取り外し等の所定の作業を行い、これによって金型交換が完了する。このようにして、金型３０は、短時間で、しかも特別な微調整を何等必要とすること無く、良好に位置決めされる。
【手続補正１２】
【補正対象書類名】明細書
【補正対象項目名】００４７
【補正方法】変更
【補正の内容】
【００４７】
（実施例２）
本発明の射出成形装置の実施例２では、可動側取付け板３５が組立の際に、ボルトのクリアランス分だけ上方に上がってしまった場合の例を示す。
【手続補正１３】
【補正対象書類名】明細書
【補正対象項目名】００６６
【補正方法】変更
【補正の内容】
【００６６】
【発明の効果】
上述のように構成された本発明によって、金型を射出成形機のプラテン間に挿入する際に、クレーン降下速度を調整しなくても、位置決めブロックの破壊などの不具合が生じなくなるために、金型の交換時間の一層の短縮が可能となる。
【手続補正１４】
【補正対象書類名】明細書
【補正対象項目名】００６８
【補正方法】変更
【補正の内容】
【００６８】
以下に、本発明の実施態様の例に就いて列挙する。
【手続補正１５】
【補正対象書類名】明細書
【補正対象項目名】図１
【補正方法】変更
【補正の内容】
【図１】
本発明の射出成形装置の位置決めブロック部材を横型射出成形機に取付ける斜視図である。
【手続補正１６】
【補正対象書類名】明細書
【補正対象項目名】図２
【補正方法】変更
【補正の内容】
【図２】
本発明の射出成形装置の位置決めブロック部材の正面図である。